(57)【要約】【課題】外観に優れて製造しやすい出隅材を提供する。【解決手段】表面に傾斜面１５を有する基材１００を傾斜面１５の傾斜方向と直交する方向で切断することによって、切断面が傾斜切断端面２２として形成された一対の出隅部材２００を形成する。一方の出隅部材２００の傾斜切断端面２２と他方の出隅部材２００の傾斜切断端面２２とを接合することによって形成される出隅材３００である。一方の傾斜切断端面２２と他方の傾斜切断端面２２との接合部分の先端２６から、一方又は他方の傾斜切断端面の先端２５ａまでの突出寸法が２ｍｍ未満である。【選択図】図１
2019132015.tif 000002
【特許請求の範囲】
【請求項１】
表面に傾斜面を有する基材を前記傾斜面の傾斜方向と直交する方向で切断することによって、切断面が傾斜切断端面として形成された一対の出隅部材を形成し、一方の前記出隅部材の前記傾斜切断端面と他方の前記出隅部材の前記傾斜切断端面とを接合することによって形成される出隅材であって、
一方の前記傾斜切断端面と他方の前記傾斜切断端面との接合部分の先端から、前記一方又は他方の傾斜切断端面の先端までの突出寸法が２ｍｍ未満である
出隅材。
【請求項２】
一対の板状の出隅部材であって、各出隅部材には、板厚方向に沿う垂直切断端面と、この垂直切断端面と同じ方向に延びていて前記板厚方向に対して傾斜する傾斜切断端面と、が形成されており、前記一対の出隅部材の傾斜切断端面同士を接合する出隅材の製造方法において、
前記一方の出隅部材の傾斜切断端面は第一の傾斜角度を有し、
前記一方の出隅部材とペアとなる前記他方の出隅部材の傾斜切断端面は第二の傾斜角度を有し、
前記基材の前記第一の傾斜角度の切断部位と、前記第二の傾斜角度の切断部位が、切断方向において同一形状である
出隅材の製造方法。
【請求項３】
請求項２において、
前記基材の表面には、同一の凹凸パターンを有する複数の領域が前記基材の長手方向に繰り返し形成されており、
前記基材の前記第一の傾斜角度の切断部位と、前記第二の傾斜角度の切断部位が、異なる前記領域中の同一形状部分である
出隅材の製造方法。
【請求項４】
請求項２において、
前記第一の傾斜角度の切断部位を形成する前記基材と、前記第二の傾斜角度の切断部位を形成する前記基材とが異なる
出隅材の製造方法。
【発明の詳細な説明】
【技術分野】
【０００１】
本発明は、出隅材及びその製造方法に関する。詳しくは、建物の出隅を構成する出隅材及びその製造方法に関する。
【背景技術】
【０００２】
従来、外壁材を切断して出隅部材を形成し、複数の出隅部材を接合して出隅材を形成することが行われている。例えば、特許文献１では、凹部と凸部の高低差が大きくて柄の深い外壁材を切断して出隅部材を形成する際に、幅狭の凸部が形成されて欠けが生じないように、凸部の幅寸法を調整し、凹部（目地）以外の部分で切断するようにしている。
【０００３】
ところで、出隅部材は外壁材から切り出す際に、切断面が傾斜するように切断される。そして、傾斜切断端面同士を接合して複数の出隅部材を一体化するようにしている。このような場合、外壁材の表面に凹凸柄が形成され、切断方向と直交する方向に傾斜する傾斜面を有していると、接合される一方の傾斜切断端面と他方の傾斜切断端面とが一致しにくく、いずれか一方の傾斜切断端面の先端が他方の傾斜切断端面の先端よりも外側に突出することになる。
【０００４】
このように接合される一方の傾斜切断端面と他方の傾斜切断端面とが位置ずれしていると、出隅材の外観を損なうことがある。そこで、複数の出隅部材を接合した後に、突出している傾斜切断端面の先端を切削して除去するようにしている。
【先行技術文献】
【特許文献】
【０００５】
【特許文献１】特開２０１７−１７９９４６号公報
【発明の概要】
【発明が解決しようとする課題】
【０００６】
しかし、出隅部材を切り出す外壁材の凹凸柄の柄深さが大きい場合（凹凸の高低差が大きい場合）、突出している傾斜切断端面の先端が大きくなり、切削して除去する領域が大きくなって、手間がかかるという問題があった。また、突出している傾斜切断端面に、出隅部材の内部の材料が露出して、出隅材の外観が低下することがあった。
【０００７】
本発明は上記の点に鑑みてなされたものであり、外観に優れて製造しやすい出隅材及びその製造方法を提供することを目的とする。
【課題を解決するための手段】
【０００８】
本発明に係る出隅材は、表面に傾斜面を有する基材を前記傾斜面の傾斜方向と直交する方向で切断することによって、切断面が傾斜切断端面として形成された一対の出隅部材を形成し、一方の前記出隅部材の前記傾斜切断端面と他方の前記出隅部材の前記傾斜切断端面とを接合することによって形成される出隅材であって、一方の前記傾斜切断端面と他方の前記傾斜切断端面との接合部分の先端から、前記一方又は他方の傾斜切断端面の先端までの突出寸法が２ｍｍ未満である。
【発明の効果】
【０００９】
本発明では、一方の傾斜切断端面と他方の傾斜切断端面との接合部分の先端から、一方又は他方の傾斜切断端面の先端までの突出寸法を小さくすることができ、突出する傾斜切断端面の切削が少なくなり、また出隅部材の内部の材料が傾斜切断端面に露出することも少なくなり、外観に優れて製造しやすい。
【図面の簡単な説明】
【００１０】
【図１】図１は、本発明に係る出隅材の一実施の形態を示す断面図である。
【図２】図２は、第一の実施の形態を説明する概略図である。
【図３】図３は、第二の実施の形態を説明する概略図である。
【図４】図４Ａは、基材の一例を示す概略図の正面図である。図４Ｂは、図４Ａを切断する場合の切断位置を示す概略の断面図である。図４Ｃは、図４Ｂのように切断した出隅部材を用いた出隅材の一例を示す概略の断面図である。
【発明を実施するための形態】
【００１１】
以下、本発明を実施するための形態を説明する。
【００１２】
［出隅材］
本実施の形態の出隅材３００は、図１に示すように、一対の出隅部材２００を接合することによって形成されている。この場合、一対の出隅部材２００の傾斜切断端面２２同士を接着して一体化することができる。
【００１３】
一方の出隅部材２００ａの傾斜切断端面２２ａの先端２５ａは、他方の出隅部材２００ｂの傾斜切断端面２２ｂの先端２５ｂよりも外側に突出している。すなわち、一方の傾斜切断端面２２ａの先端２５ａは、傾斜切断端面２２ａと傾斜切断端面２２ｂとの接合部分の先端２６（符号２５ｂと同じ位置）から外側に突出している。本実施の形態では、先端２５ａから先端２５ｂの間の寸法を突出寸法Ｘとし、この突出寸法Ｘが２ｍｍ未満に形成されている。突出寸法Ｘが２ｍｍ未満であれば、突出している傾斜切断端面２２ａの先端２５ａがそれほど大きくなく、切削して除去する手間が少ない。また、突出している傾斜切断端面２２ａに、出隅部材２００ａの内部の材料が露出することも少なく、出隅材３００の外観や防水性が低下しにくい。突出寸法Ｘは小さいほど好ましいので、その下限は０ｍｍである。
【００１４】
なお、上記では、傾斜切断端面２２ａが傾斜切断端面２２ｂに対して突出している場合について説明したが、逆に、傾斜切断端面２２ｂが傾斜切断端面２２ａに対して突出している場合も同様である。
【００１５】
［第一の実施の形態］
（基材）
本実施の形態の出隅製造用の基材１００は窯業系基材で形成されているが、特にこれに限定されず、木製基材、プラスチック系基材、金属製基材などの任意の材質のものが使用可能である。窯業系基材の基材１００は、セメントや骨材や補強繊維などを含有する水硬性材料の硬化物である。基材１００が窯業系基材の場合、基材１００はコア部とスキン部とを有して形成することができる。コア部は基材１００の中心部を形成する部分であり、スキン部は基材１００の表面を形成する部分である。従って、コア部の全面はスキン部によって覆われている。コア部の比重はスキン部の比重よりも小さく形成されている。例えば、コア部に気泡や空隙や中空孔などを設け、スキン部に気泡や空隙や中空孔などを設けないようにして、コア部の比重をスキン部の比重よりも小さくすることができる。従って、単位面積あたりの重量や強度をほとんど変えることがなく、基材１００を厚く形成することができ、この結果、表面に高低差の大きい（深い）凹凸柄を形成することが可能となる。例えば、単一の材料で形成された窯業系基材に６ｍｍの凹部を形成できる場合、同じ厚みでコア部とスキン部とを備えた窯業系基材では約１０ｍｍの凹部を形成することができる。
【００１６】
図２に示すように、基材１００は略板状に形成され、正面視（表面から見た場合）において略長方形に形成されている。基材１００の長手方向は横方向（水平方向）とし、基材１００の短手方向は縦方向（鉛直方向）とすることができる。
【００１７】
基材１００の表面は、複数の凹部１１と複数の凸部１２とを有する凹凸面に形成されている。また各凸部１２の表面は傾斜面１５で形成されている。各傾斜面１５の傾斜方向は特に限定されないが、少なくとも基材１００の長手方向に傾斜する傾斜面１５が含まれている。
【００１８】
基材１００の表面には、複数の凹部１１と複数の凸部１２とを含んで形成される一定の凹凸パターンが基材１００の長手方向に繰り返し形成されている。すなわち、基材１００にはその長手方向の中央部を挟んで第一の領域１６と第二の領域１７とが形成されており、第一の領域１６と第二の領域１７とが同一の凹凸パターンを有して形成されている。
【００１９】
（出隅部材の製造）
出隅部材２００は基材１００から切り出されて形成される。基材１００は複数の切断部位Ａ１〜Ａ１０で切断され、これにより、複数の出隅部材２００が一つの基材１００から得られる。各切断部位Ａ１〜Ａ１０は基材１００の長手方向に対して直交する方向を切断方向としている。また各切断部位Ａ１〜Ａ１０では基材１００をその表面に対して垂直に切断すると共に基材１００の表面に対して斜めに切断することが行われ、斜めに切断することにより傾斜切断端面２２が形成される。このようにして形成される出隅部材２００は、板状であって、各出隅部材２００には、出隅部材２００の板厚方向に沿う垂直切断端面２１と、この垂直切断端面２１と同じ方向に延びていて、出隅部材２００の板厚方向に対して傾斜する傾斜切断端面２２とが形成される。そして、一対の出隅部材２００の傾斜切断端面２２同士を接合することにより出隅材が製造される。
【００２０】
一対の出隅部材２００は、第一の領域１６から切り出される第一の出隅部材２０１と、第二の領域１７から切り出される第二の出隅部材２０２とをペアとして構成されている。第一の出隅部材２０１の傾斜切断端面２２１は表面に対して所定の傾斜角度（第一の傾斜角度）で傾斜している。第二の出隅部材２０２の傾斜切断端面２２２は表面に対して所定の傾斜角度（第二の傾斜角度）で傾斜している。第一の傾斜角度と第二の傾斜角度を合わせると約９０°となる。
【００２１】
このように第一の出隅部材２０１と第二の出隅部材２０２は、異なる二つの領域である第一の領域１６と第二の領域１７からそれぞれ形成されるものであるが、出隅材３００を形成する際にペアとなる第一の出隅部材２０１と第二の出隅部材２０２は、傾斜切断端面２２１と傾斜切断端面２２２の形状が同一であることが好ましく、これにより、上記突出寸法Ｘを小さくすることができる。従って、第一の出隅部材２０１と第二の出隅部材２０２のそれぞれの切断部位は、切断方向（基材１００の短手方向と同じ）において同一形状であることが好ましい。例えば、切断部位Ａ１とＡ２とで切断された第一の出隅部材２０１と、切断部位Ａ６とＡ７とで切断された第二の出隅部材２０２とをペアとする場合、傾斜切断端面２２１が形成される切断部位Ａ２と、傾斜切断端面２２２が形成される切断部位Ａ６とが、切断方向において同一形状に形成されている。
【００２２】
そして、傾斜切断端面２２１と傾斜切断端面２２２とを接着するなどして接合することによって、第一の出隅部材２０１と第二の出隅部材２０２とが一体化された出隅材３００を形成することができる。この出隅材では傾斜切断端面２２１と傾斜切断端面２２２とが同一の形状になりやすく、上記突出寸法Ｘを小さくすることができる。
【００２３】
突出寸法Ｘについて、図４を用いて説明する。図４Ａに示すように、基材３０は、表面に凹凸柄を有し、表面が平坦な平坦凸部３１と、表面が傾斜面３２として傾斜する傾斜凸部３３が形成されている。この基材３０を切断して一対の出隅部材を形成する場合、図４Ｂに示すように、平坦凸部３１と傾斜凸部３３とを横切る切断線Ｄで基材３０が切断され、さらに切断線Ｄで切断された二つの切断面が傾斜切断線Ｅ、Ｆで切断されたり切削されたりして傾斜切断端面３４が形成される。
【００２４】
そして、図４Ｃに示すように、二つの傾斜切断端面３４同士を接合して出隅材を形成した場合、平坦凸部３１の表面における二つの傾斜切断線Ｅ及びＦの通る位置（切断位置）Ｅ１及びＦ１は同じであるため、二つの傾斜切断端面３４同士を接合しても出隅材の先端（出隅）に欠け（段差）は形成されない。一方、傾斜凸部３３の表面の傾斜面３２における二つの傾斜切断線Ｅ及びＦの通る位置（切断位置）Ｅ２とＦ２は、基材１０の板厚方向でずれる。この位置Ｅ２と位置Ｆ２とのずれの寸法が突出寸法Ｘとなり、二つの傾斜切断端面３４同士を接合した場合に欠け（段差）となって現れる。
【００２５】
そこで、本実施の形態では、第一の出隅部材２０１と第二の出隅部材２０２のそれぞれの切断部位は、切断方向（基材１００の短手方向と同じ）において同一形状であることが好ましい。
【００２６】
［第二の実施の形態］
（基材）
上記第一の実施の形態では、一つの基材１００からペアとなる第一の出隅部材２０１と第二の出隅部材２０２とを製造したが、第二の実施の形態では、図３に示すように、別々の基材１０１、１０２から第一の出隅部材２０１と第二の出隅部材２０２とをそれぞれ形成する。この場合、基材１０１の表面形状と、基材１０２の表面形状とは同一である。
【００２７】
（出隅部材の製造）
第一の基材１０１では、複数の切断部位Ｂ１〜Ｂ１０で切断されて複数の第一の出隅部材２０１が形成される。第二の基材１０２では、複数の切断部位Ｃ１〜Ｃ１０で切断されて複数の第二の出隅部材２０１が形成される。第一の基材１０１の切断部位Ｂ１は第二の基材１０２の切断部位Ｃ１と対応し、切断部位Ｂ２は切断部位Ｃ２と対応し、切断部位Ｂ３は切断部位Ｃ３と対応し、切断部位Ｂ４〜Ｂ１０も切断部位Ｃ４〜Ｃ１０にそれぞれ順次対応している。
【００２８】
第一の出隅部材２０１の傾斜切断端面２２１は表面に対して所定の傾斜角度（第一の傾斜角度）で傾斜している。第二の出隅部材２０２の傾斜切断端面２２２は表面に対して所定の傾斜角度（第二の傾斜角度）で傾斜している。第一の傾斜角度と第二の傾斜角度を合わせると約９０°となる。
【００２９】
このように第一の出隅部材２０１と第二の出隅部材２０２は、異なる二つの基材１０１、１０２からそれぞれ形成されるものであるが、出隅材３００を形成する際にペアとなる第一の出隅部材２０１と第二の出隅部材２０２は、傾斜切断端面２２１と傾斜切断端面２２２の形状が同一であることが好ましく、これにより、上記突出寸法Ｘを小さくすることができる。従って、第一の出隅部材２０１と第二の出隅部材２０２のそれぞれの切断部位は、切断方向（基材１００の短手方向と同じ）において同一形状であることが好ましい。例えば、切断部位Ｂ１とＢ２とで切断された第一の出隅部材２０１と、切断部位Ｃ１とＣ２とで切断された第二の出隅部材２０２とをペアとする場合、傾斜切断端面２２１が形成される切断部位Ｂ２と、傾斜切断端面２２２が形成される切断部位Ｃ２とが、切断方向において同一形状に形成されている。
【００３０】
そして、傾斜切断端面２２１と傾斜切断端面２２２とを接着するなどして接合することによって、第一の出隅部材２０１と第二の出隅部材２０２とが一体化された出隅材３００を形成することができる。この出隅材では傾斜切断端面２２１と傾斜切断端面２２２とが同一の形状になりやすく、上記突出寸法Ｘを小さくすることができる。
【符号の説明】
【００３１】
１００  基材
２００  出隅部材
３００  出隅材
１５  傾斜面
２２  傾斜切断端面
２５ａ  先端
２６  先端
Ｘ  突出寸法
【図１】
2019132015.tif 000003
【図２】
2019132015.tif 000004
【図３】
2019132015.tif 000005
【図４】
2019132015.tif 000006